(57)【要約】      （修正有）【課題】ヘアードライヤーの騒音を低減できる新たな構造を提供する【解決手段】ファンモータＦＭと、ヒータユニットＨＵと、ファンモータＦＭおよびヒータユニットＨＵを覆う本体ケースＣとを有する。ファンモータＦＭは、中心軸Ｊ１を中心に回転するインペラ４と、インペラ４を回転させるモータＭとを有する。本体ケースＣは、吸気口１０を有する吸気ケース部１と、排気口３０を有する排気ケース部３とを有する。本体ケースＣの内部には、本体ケースＣの内側面に沿って延びる内筒ケース部７が収容される。本体ケースＣの内側面と、内筒ケース部７との間には、消音空間９１が形成される。そして、消音空間９１と内部空間９とを連通する開口部８が形成される。【選択図】図１
2016135229.tif 000002
【特許請求の範囲】
【請求項１】
前後に延びる中心軸に沿って前方に空気を送り出すヘアードライヤーであって、
ファンモータと、
ヒータユニットと、
前記ファンモータおよび前記ヒータユニットを覆い、前記中心軸の周囲において前後に延び、内部空間を形成する中空筒状の本体ケースと、
を有し、
前記ファンモータは、
前記中心軸を中心に回転するインペラと、
前記インペラを回転させるモータと、
を有し、
前記本体ケースは、
吸気口を有する吸気ケース部と、
排気口を有する排気ケース部と、
を有し、
前記本体ケースの内部には、前記本体ケースの内側面に沿って延びる内筒ケース部が収容され、
前記本体ケースの内側面と、前記内筒ケース部との間に消音空間が形成され、
前記消音空間と前記内部空間とを連通する開口部が形成され、
前記開口部は、前記内筒ケース部と前記本体ケースとの間、または前記内筒ケース部に配置されるヘアードライヤー。
【請求項２】
請求項１に記載のヘアードライヤーであって、
前記排気ケース部は、内部に排気空間を有し、
前記内筒ケース部は、前記排気ケース部の内部に収容されるとともに、前記排気ケース部の内側面に沿って軸方向に延びる筒状部を有し、
前記消音空間は、前記排気ケース部の内側面と、前記内筒ケース部との間に形成され、
前記開口部は、前記排気空間と、前記消音空間とを連通するヘアードライヤー。
【請求項３】
請求項２に記載のヘアードライヤーであって、
前記排気ケース部は、
前方へ向かうにつれて内径が小さくなるケース筒部と、
前記ケース筒部の前端から軸方向前方へ延びるノズル部と、
を有し、
前記筒状部は、前記ケース筒部の径方向内側に位置するヘアードライヤー。
【請求項４】
請求項３に記載のヘアードライヤーであって、
前記消音空間の軸方向に直交する断面の面積は、軸方向前方へ向かうにつれて大きくなるヘアードライヤー。
【請求項５】
請求項３または請求項４に記載のヘアードライヤーであって、
前記排気ケース部は、前記ケース筒部と前記ノズル部との間における内周面に、前記筒状部の前方に配置され、前記内筒ケース部と軸方向および径方向に当接する段差部を有し、
前記内筒ケース部の前端部の外周面は、前記段差部の内周面に嵌まるヘアードライヤー。
【請求項６】
請求項２から請求項５までのいずれか１項に記載のヘアードライヤーであって、
前記内筒ケース部の後方の端部は、前記インペラよりも前方に位置するヘアードライヤー。
【請求項７】
請求項２から請求項６までのいずれか１項に記載のヘアードライヤーであって、
前記内筒ケース部の後方の端部は、前記インペラよりも径方向外側に位置するヘアードライヤー。
【請求項８】
請求項２から請求項７までのいずれか１項に記載のヘアードライヤーであって、
前記内筒ケース部は、後方の端部から排気ケース部の内側面に向かって延びる、環状のフランジ部を有し、
前記開口部は、前記フランジ部を軸方向に貫通するヘアードライヤー。
【請求項９】
請求項８に記載のヘアードライヤーであって、
前記フランジ部の外周面は、前記開口部を除く全周に亘って、前記排気ケース部の内側面に接触するヘアードライヤー。
【請求項１０】
請求項８または請求項９に記載のヘアードライヤーであって、
前記排気ケース部の内側面と、前記内筒ケース部の外側面との間に、前記開口部の周方向両端から前方に向けて延びる第１側壁部を有し、
前記第１側壁部と、前記排気ケース部の内側面と、前記内筒ケース部の外側面との間に、間隙部が構成されるヘアードライヤー。
【請求項１１】
請求項１０に記載のヘアードライヤーであって、
前記間隙部を構成する１つの前記第１側壁部が、前記内筒ケース部の外側面および前記排気ケース部の内側面に接触または接続し、かつ、前記消音空間の後端から前端まで延びるヘアードライヤー。
【請求項１２】
請求項１１に記載のヘアードライヤーであって、
前記間隙部の後端部の開口面積と、前記間隙部の前端部の開口面積とが、等しいヘアードライヤー。
【請求項１３】
請求項１０から請求項１２までのいずれか１項に記載のヘアードライヤーであって、
前記第１側壁部は、それぞれ、前記内筒ケース部の外側面から前記排気ケース部の内側面に向かって延び、前記中心軸を含む一つの平面に対して平行な板形状であるヘアードライヤー。
【請求項１４】
請求項２から請求項７までのいずれか１項に記載のヘアードライヤーであって、
前記開口部は、前記筒状部を径方向に貫通し、
前記内筒ケース部は、前記開口部の縁の少なくとも一部から排気ケース部の内側面に向けて延びる第２側壁部を有するヘアードライヤー。
【請求項１５】
請求項２から請求項１４までのいずれか１項に記載のヘアードライヤーであって、
前記内筒ケース部と前記排気ケース部との間には複数の仕切部が位置し、
前記仕切部は、前記内筒ケース部の外側面および前記排気ケース部の内側面に接触または接続し、かつ、前記消音空間の後端から前端まで延び、
前記開口部は、一対の前記仕切部の間に位置するヘアードライヤー。
【請求項１６】
請求項２から請求項１５までのいずれか１項に記載のヘアードライヤーであって、
前記ファンモータは、前記モータを前記本体ケースに固定するモータケースをさらに有し、
前記モータケースは、複数の静翼を有し、
前記複数の静翼の内端は、前記内筒ケース部の後端部よりも径方向内側に位置するヘアードライヤー。
【請求項１７】
請求項１に記載のヘアードライヤーであって、
前記本体ケースは、
前記吸気口と前記排気口との間に位置し、軸方向に貫通する流入口を有する流入ケース部
をさらに有し、
前記吸気ケース部と前記流入ケース部とにより、前記吸気口と前記流入口との間、かつ、前記吸気口および前記流入口よりも径方向外側に位置する拡張室が構成され、
前記内筒ケース部は、前記吸気ケース部の内部に収容されるとともに、前記吸気ケース部の内側面に沿って延び、
前記消音空間は、前記吸気ケース部の内側面と、前記内筒ケース部との間に形成され、
前記開口部は、前記拡張室と、前記消音空間とを連通するヘアードライヤー。
【発明の詳細な説明】
【技術分野】
【０００１】
本発明は、ヘアードライヤーに関する。
【背景技術】
【０００２】
一般的に、ヘアードライヤーは、送風時において、気柱共鳴等に起因する騒音が発生する。ヘアードライヤーの騒音を低減する技術については、例えば、特開平５−２２８０１３号公報に記載されている。当該公報には、ヘルムホルツ共鳴器の原理を利用したヘアードライヤーが記載されている。当該公報記載のヘアードライヤーは、送風ファンの付いたモータおよび風に熱を与えるヒータを内蔵した筒状であって、気柱共鳴による定常波騒音の軸方向の音圧分布の高い位置に複数の穴を形成したケースと、このケースの外周面に前記穴を覆うように取付けられて内部に空気層を形成した共鳴器とを備えている（請求項１参照）。
【０００３】
当該公報には、複数の穴に共鳴器を設けることで、特定周波数の音を吸収減衰し音圧を低下できる旨が記載されている（段落０００６参照）。
【特許文献１】特開平５−２２８０１３号公報
【発明の概要】
【発明が解決しようとする課題】
【０００４】
しかしながら、当該公報の図１に記載の構造では、ケースに複数の穴が設けられているものの、複数の穴に対応する容積部分（空気層）が互いに区画されていない。このため、容積部分で、騒音を反射させることができず、ヘルムホルツ共鳴器による騒音低減の効果が十分に得られないという問題がある。一方、当該公報の図４に記載の構造では、容積部を構成する外筒が、穴ごとに別々に設けられている。当該構造では、ヘルムホルツ共鳴器としての効果が得られる可能性がある。ただし、当該公報の図４の構造では、容積部を構成するための外筒の数が増えるため、部品点数が増加する。その結果、製造工数が増え、ヘアードライヤーの製造コストが増加するという問題がある。さらに、当該公報には、複数の外筒の密着性を確保するための方法は開示されていない。また、外部に凹凸が露出するため、製品の美的外観を損なうという問題もある。
【０００５】
本発明の目的は、ヘアードライヤーの内部にヘルムホルツ共鳴器を設けることで、ヘアードライヤーの騒音を低減できる新たな構造を提供することである。
【課題を解決するための手段】
【０００６】
本発明の例示的な第１発明は、前後に延びる中心軸に沿って前方に空気を送り出すヘアードライヤーであって、ファンモータと、ヒータユニットと、前記ファンモータおよび前記ヒータユニットを覆い、前記中心軸の周囲において前後に延び、内部空間を形成する中空筒状の本体ケースと、を有し、前記ファンモータは、前記中心軸を中心に回転するインペラと、前記インペラを回転させるモータと、を有し、前記本体ケースは、吸気口を有する吸気ケース部と、排気口を有する排気ケース部と、を有し、前記本体ケースの内部には、前記本体ケースの内側面に沿って延びる内筒ケース部が収容され、前記本体ケースの内側面と、前記内筒ケース部との間に消音空間が形成され、前記消音空間と前記内部空間とを連通する開口部が形成され、前記開口部は、前記内筒ケース部と前記本体ケースとの間、または前記内筒ケース部に配置される。
【発明の効果】
【０００７】
本願の例示的な第１発明によれば、開口部の断面積と消音空間の容積とを適宜設計することで、特定の周波数の騒音を減衰させるヘルムホルツ共鳴器を、ヘアードライヤーの内部に構成することができる。ヘルムホルツ共鳴器は、空気圧の変動により生じる気柱共鳴等の騒音となる音波に対して、空気圧の変動を吸収することで、ヘアードライヤーの騒音を低減できる。
【図面の簡単な説明】
【０００８】
【図１】図１は、第１実施形態のヘアードライヤーの断面図である。
【図２】図２は、ヘルムホルツ共鳴器の概念図である。
【図３】図３は、第１実施形態に係る内筒ケース部の正面図である。
【図４】図４は、第１実施形態に係る内筒ケース部の斜視図である。
【図５】図５は、第１実施形態に係る内筒ケース部の縦断面図である。
【図６】図６は、変形例に係るヘアードライヤーの縦断面図である。
【図７】図７は、変形例に係るヘアードライヤーの縦断面図である。
【図８】図８は、変形例に係るヘアードライヤーの縦断面図である。
【図９】図９は、変形例に係る内筒ケース部の正面図である。
【発明を実施するための形態】
【０００９】
本明細書では、モータの中心軸に沿う方向を前後方向とし、吸気口に対して排気口側を前として、各部の形状や位置関係を説明する。ただし、この前後方向の定義によって、ヘアードライヤーの使用時の向きを限定する意図はない。また、モータの中心軸に平行な方向または略平行な方向を「軸方向」と呼び、中心軸を中心とする径方向を単に「径方向」と呼び、中心軸を中心とする周方向を単に「周方向」と呼ぶ。また、開口または間隙部の断面積は、中心軸に対して垂直な面における断面積を指す。
【００１０】
＜１．ヘアードライヤーの全体構成＞
図１は、本発明の例示的な第１実施形態に係るヘアードライヤー５を示す縦断面図である。このヘアードライヤー５は、モータＭの動力によりインペラ４を回転させて、中心軸Ｊ１に沿って前方に空気を送り出す装置である。ヘアードライヤー５は、例えば、家庭用または業務用として、髪を乾かすために使用される。
【００１１】
図１に示すように、本実施形態のヘアードライヤー５は、ファンモータＦＭと、ヒータユニットＨＵと、本体ケースＣと、把持部６とを有する。ファンモータＦＭは、中心軸Ｊ１を中心に回転するインペラ４と、インペラ４を回転させるモータＭと、モータＭを保持するモータケースＭＣとを有する。本実施形態のファンモータＦＭは、遠心ファンである。
【００１２】
インペラ４は、中心軸Ｊ１を中心として回転することで、気流を発生させる部品である。インペラ４は、本体ケースＣの径方向内側に配置される。図１に示すように、インペラ４は、中央に位置するベース部４１と、ベース部４１から径方向外側へ延びる複数の羽根４２とを有する。ベース部４１は、モータＭの後述するシャフト４３に固定される。複数の羽根４２は、ベース部４１の径方向外側において周方向に配列される。
【００１３】
ベース部４１および複数の羽根４２は、例えば、樹脂の射出成型により一体に形成される。ただし、インペラ４は、複数の部材で構成されていてもよい。例えば、ベース部４１と複数の羽根４２とが、互いに別部材であってもよい。また、インペラ４は、樹脂以外の材料からなるものであってもよい。
【００１４】
モータＭは、インペラ４に対して、回転のための動力を供給する動力源である。このヘアードライヤー５では、インペラ４よりも軸方向前方に、モータＭが配置されている。ただし、モータＭは、インペラ４よりも軸方向後方に配置されていてもよい。モータＭは、中心軸Ｊ１に沿って延びるシャフト４３を有する。モータＭを駆動させると、モータＭ内に配置されたコイルとマグネットとの間の回転磁界によって、中心軸Ｊ１周りのトルクが発生する。これにより、モータＭのシャフト４３が、中心軸Ｊ１を中心として回転する。
【００１５】
モータＭには、例えば、ブラシレスＤＣモータが用いられる。ブラシレスＤＣモータは、ブラシの摩耗による性能の劣化が無いため、ブラシ付きモータよりも長寿命である。また、ブラシレスＤＣモータは、ＡＣモータよりも容易に変速することができ、かつ、消費電力の低減が容易である。ただし、ブラシレスＤＣモータに代えて、ブラシ付きモータや、ＡＣモータが用いられてもよい。
【００１６】
モータケースＭＣは、インペラ４の軸方向前方において、モータＭを保持する部材である。モータケースＭＣは、モータＭの周囲を取り囲む。モータＭの外周面は、モータケースＭＣの内周面と、少なくとも部分的に接触する。これにより、モータＭが、モータケースＭＣ内で位置決めされる。インペラ４から生じた気流は、モータケースＭＣの径方向外側を通過する。モータケースＭＣの外周面は、軸方向後方の端部から軸方向前方に向かうにつれて、一旦拡径した後、再び縮径する。すなわち、モータケースＭＣの外周面は、本体ケースＣの内周面の形状に沿って湾曲している。これにより、インペラ４から生じた気流が、モータケースＭＣの周囲において、軸方向前方へ効率よく送られる。
【００１７】
ヒータユニットＨＵは、本体ケースＣの内部、かつ、モータＭよりも軸方向前方に配置される。ヒータユニットＨＵは、例えば、通電により発熱するニクロム線等の電熱線と、電熱線を支持する支持板とを有する。図１では、ヒータユニットＨＵの詳細な図示を省略しているが、ヒータユニットＨＵが配置される位置を、二点鎖線で示している。ヒータユニットＨＵの軸方向後方の端部は、モータケースＭＣの軸方向前方の端部よりも、軸方向後方に位置する。このように、このドライヤ５では、モータケースＭＣの内部空間９も利用して、ヒータユニットＨＵが効率よく配置されている。
【００１８】
本体ケースＣは、中心軸Ｊ１の周囲において前後に延び、内部空間９を形成する中空筒状のケースである。本体ケースＣの材料には、例えば樹脂が用いられる。本体ケースＣの内部には、ファンモータＦＭと、ヒータユニットＨＵとが、収容される。したがって、ファンモータＦＭおよびヒータユニットＨＵの外周部は、本体ケースＣに覆われる。
【００１９】
本体ケースＣは、吸気ケース部１と、排気ケース部３と、流入ケース部２とを有する。本体ケースＣの内部には、内筒ケース部７が収容される。吸気ケース部１は、外部から空気を吸入するための吸気口１０を有する。排気ケース部３は、空気を外部へ排出するための、排気口３０を有する。流入ケース部２は、排気ケース部３と、吸気ケース部１との間に位置する。また、流入ケース部２は、吸気口１０と排気口３０との間に位置する流入口２０を有する。流入口２０は、流入ケース部２を中心軸Ｊ１方向に貫通する。上述したインペラ４は、流入ケース部２の径方向内側に配置される。流入ケース部２の内周面は、インペラ４の外端部に近接する。これにより、流入ケース部２の内周面とインペラ４との間において、気体の逆流が抑制される。
【００２０】
吸気口１０は、吸気ケース部１の後端部から流入口２０に向かって前方へ延びる筒状の部位の内側に設けられる。吸気口１０は、後方の開口である第１開口１０１と、前方の開口である第２開口１０２とを含む。第１開口１０１および第２開口１０２は、貫通孔であり、本体ケースＣの外部である外気空間と、本体ケースＣの内部空間９とをつなぐ。なお、本実施形態では、吸気口１０には、人間の指等がインペラ４に触れることを防ぐ、インペラガード部１５０が設けられる。
【００２１】
内筒ケース部７は、本体ケースＣの内側面に沿って、軸方向に延びる。そして、本体ケースＣの内側面と、内筒ケース部７との間には消音空間９１が形成される。消音空間９１と、内部空間９とは、開口部８により互いに連通する。そして、開口部８は、内筒ケース部７と本体ケースＣとの間、または、内筒ケース部７に配置される。この消音空間９１と開口部８とによって、ヘルムホルツ共鳴器を構成することができる。また、ヘアードライヤー５の本体ケースＣの内側にヘルムホルツ共鳴器を構成するため、ヘアードライヤー５の美的外観を損なうことを防止できる。
【００２２】
把持部６は、ヘアードライヤー５の使用時に、ユーザが把持する部位である。把持部６は、吸気ケース部１および排気ケース部３の境目付近から、径方向外側へ向けて延びる。把持部６には、ヘアードライヤー５のＯＮ／ＯＦＦの切り替えや出力の調節を行うためのスイッチ（図示省略）が設けられている。このヘアードライヤー５では、吸気ケース部１および排気ケース部３と、把持部６とが、別部材となっている。ただし、吸気ケース部１、排気ケース部３、および把持部６は、一体に形成されていてもよい。
【００２３】
モータＭが駆動すると、インペラ４が回転し、軸方向前方かつ径方向外側へ向かう気流が発生する。これにより、空気が、本体ケースＣの外部から吸気口１０へ流入する。本体ケースＣの内部に流入した空気は、流入口２０に案内される。その後、空気は、排気ケース部３の内側に位置するヒータユニットＨＵにて、熱せられる。そして、空気は、排気口３０から本体ケースＣの外部へと排出される。
【００２４】
このとき、ヘアードライヤー５の内部では、空気圧の変動により、気柱共鳴等の騒音が発生する。上述したヘルムホルツ共鳴器は、空気圧の変動を吸収することで、特定の周波数帯の騒音を低減させる。図２は、ヘルムホルツ共鳴器の概念図である。図２に示すように、ヘルムホルツ共鳴器は、首管Ａ１と容積部Ａ２とで構成される。ヘルムホルツ共鳴器の共鳴周波数Ｆは、次の計算式で計算できる。
【００２５】
【数１】
2016135229.tif 000003
【００２６】
ここで、Ｃは音速、Ｓは首管Ａ１の断面積、Ｌは首管Ａ１の長さ（音響補正長を含む）、Ｖは容積部Ａ２の体積である。本実施形態では、Ｓは開口部８の断面積、Ｌは開口部８の長さ、Ｖは消音空間９１の体積に該当する。この計算式を用いることにより、ヘルムホルツ共鳴器を、低減したい騒音の周波数に応じて、設計することができる。
【００２７】
このように、開口部８の断面積Ｓと消音空間９１の容積Ｖとを適宜設計することで、任意の周波数の騒音を低減させることができる。例えば、４００Ｈｚや１０００Ｈｚ等の、任意の周波数の騒音を低減させることができる。したがって、ヘアードライヤー５の運転時に気柱共鳴により高いレベルとなる騒音の周波数成分を低減させることができる。したがって、ヘアードライヤー５内部で発生した騒音が外部に伝搬されることを抑制でき、ヘアードライヤー５の騒音を低減できる。
【００２８】
なお、本実施形態では、内筒ケース部７は、排気ケース部３の内部に収容される。そして、内筒ケース部７は、排気ケース部３の内側面に沿って軸方向に延びる筒状部７１を有する。排気ケース部３の内部には、外部に排気される空気が通るための排気空間９２が形成される。また、消音空間９１は、排気ケース部３の内側面と、内筒ケース部７との間に形成される。そして、消音空間９１は、開口部８を介して、排気空間９２に通じる。
【００２９】
これにより、ヘルムホルツ共鳴器を、排気ケース部３の内部に構成することができる。特に、排気空間９２は、インペラ４の回転によって生じる気流の下流側に位置する。このため、排気空間９２には、絶えず空気圧の変動が生じる。本実施形態では、開口部８および消音空間９１がヘルムホルツ共鳴器として作用する。これによって、排気空間９２における空気圧の変動が吸収される。その結果、ヘアードライヤーの動作時における騒音を低減できる。
【００３０】
ところで、気柱共鳴は、内部空間９における空気圧の変動や、流速変動、乱流などによって筒状の内部空間９で生じる固有の空気圧の変動であり、主に排気ケース部３内で生じる。なお、この空気圧の変動は、吸気ケース部１においても生じる。騒音となる音波の腹は、排気ケース部３の内部において、軸方向に生じる。ただし、気柱共鳴によって生じる騒音となる音波が高周波である場合、その音波の腹は、吸気ケース部１および排気ケース部３の内部において、径方向にも生じ得る。本実施形態では、内筒ケース部７の後方の側端部は、インペラ４よりも軸方向前方に配置される。このため、排気ケース部３の内部において軸方向に生じる騒音となる音波の腹の部分に合わせて、開口部８を設けることができる。また、内筒ケース部７の後方の側端部は、インペラ４よりも径方向外側に位置する。このため、排気ケース部４の内部において径方向に生じる騒音となる音波の腹の部分に合わせて、開口部８を設けることもできる。したがって、気柱共鳴による騒音を、効果的に低減できる。
【００３１】
なお、本実施形態では、排気ケース部３は、吸気口１０側から前方の排気口３０へ向かうにつれて縮径するケース筒部３１０と、ケース筒部３１０の前端から軸方向前方へ延びるノズル部３１と、を有する。そして、筒状部７１は、ケース筒部３１０の径方向内側に位置する。このように、内筒ケース部７の筒状部７１は、軸方向前方へ向けて縮径するコーン状のケース筒部３１０の径方向内側に配置される。このため、排気ケース部３と内筒ケース部７とを組み立てるときに、排気ケース部３の内周面に沿って、内筒ケース部７を挿入することで、内筒ケース部７を容易に位置決めできる。このため、排気ケース部３と内筒ケース部７の組み立てが容易となる。
【００３２】
また、筒状部７１は、軸方向前方の排気口３０へ向かうにつれてケース筒部３１０との間の径方向の断面積が徐々に増加するように、ケース筒部３１０の内側面に沿って配置される。このように、軸方向の位置によって消音空間９１の容積Ｖを変化させることで、ヘルムホルツ共鳴器が作用する周波数域を変化させることができる。ただし、排気ケース部３の外形は、ヘアードライヤー５の美観に関係する。このため、ヘアードライヤー５の美観を求めると、排気ケース部３の外形の設計は制限される。本実施形態では、排気ケース部３に大きな曲率を持たせることなく、内筒ケース部７の筒状部７１を排気ケース部３よりも大きく湾曲させることで、消音空間９１の容積を変化させている。これにより、ヘアードライヤー５の美的外観を損なうことなく、ヘルムホルツ共鳴器が作用する周波数域を適切に設定することができる。
【００３３】
また、本実施形態では、排気ケース部３が段差部３１１を有する。段差部３１１は、ケース筒部３１０とノズル部３１との間における排気ケース部３の内周面に形成される。段差部３１１は、軸方向後方を向く環状の面と、径方向内側を向く環状の面とで構成される。段差部３１１は、筒状部７１の前方に配置され、内筒ケース部７と軸方向および径方向に当接する。段差部３１１の内径は、ノズル部３１の内径よりも大きく、ケース筒部３１０の内径よりも小さい。内筒ケース部７の前端部の外周面は、段差部３１１の内周面に嵌め合わされる。
【００３４】
これにより、排気ケース部３と内筒ケース部７との組み立てが容易となる。また、ノズル部３１と内筒ケース部７の間において、内周面の段差をなくすことができる。このため、排気空間９２での空気の流路抵抗を小さくすることができる。また、気流がノズル部３１とぶつかることによって生じる渦を抑制することができる。その結果、ヘアードライヤー５の騒音をより低減できる。
【００３５】
＜２．内筒ケース部の構成＞
続いて、内筒ケース部７の構成について、さらに説明する。
【００３６】
図３は、第１実施形態に係る内筒ケース部７の正面図である。図４は、第１実施形態に係る内筒ケース部７の斜視図である。図５は、第１実施形態に係る内筒ケース部７の縦断面図である。
【００３７】
本実施形態では、内筒ケース部７は、後方の端部から排気ケース部３の内側面に向かって延びる、略環状のフランジ部７５を有する。開口部８は、フランジ部７５に形成され、フランジ部７５を軸方向に貫通する。この構造では、開口部８を任意の大きさに形成することが容易である。このため、開口部８の周方向の広さにより、ヘルムホルツ共鳴器が作用する周波数域を容易に変更できる。また、内筒ケース部７を樹脂成型する場合に、開口部８を容易に形成できる。
【００３８】
フランジ部７５の外周面は、開口部８を除く全周に亘って、排気ケース部３の内側面に接触する。これにより、排気ケース部３と内筒ケース部７とを強固に固定することができる。また、排気ケース部３と内筒ケース部７との隙間を無くして、ヘルムホルツ共鳴器の効果をより高めることができる。なお、フランジ部７５の外周面と、排気ケース部３の内側面との間には、接着剤等を介在させてもよい。
【００３９】
また、内筒ケース部７は、その外側面に、２つの板状の部位から構成される第１側壁部７２を有する。第１側壁部７２は、開口部８の周方向両側から排気口３０側に向けて延びる。また、第１側壁部７２は、内筒ケース部７の外側面から排気ケース部３の内側面に向かって延びる。第１側壁部７２の径方向外側の端縁は、排気ケース部３の内側面と接触する。ただし、第１側壁部７２は、排気ケース部３側に設けられていてもよい。その場合、排気ケース部３の内側面から径方向内側へ向けて延びる第１側壁部７２が、内筒ケース部７の外側面と接触すればよい。
【００４０】
第１側壁部７２と、排気ケース部３の内側面と、内筒ケース部７の外側面との間には、間隙部１２１が構成される。ここで、間隙部１２１の中心軸Ｊ１に直交する断面積は、ヘルムホルツ共鳴器の首管の断面積Ｓとなる。そして、第１側壁部７２の軸方向の長さは、ヘルムホルツ共鳴器の首管の長さＬとなる。また、排気ケース部３の内側面と、内筒ケース部７の外側面とで囲まれた空間である消音空間９１の容積がＶとなる。
【００４１】
上述したように、ヘルムホルツ共鳴器の作用周波数域を変化させるためには、消音空間９１の容積や、開口部８の断面積を変化させる必要がある。しかしながら、空気の流路である排気空間９２の容積が変化すると、ヘアードライヤー５の風量や静圧などに影響する。そこで、本実施形態のように、第１側壁部７２を設ければ、首管の断面積Ｓと首管の長さＬとを適宜設計することができる。これにより、排気空間９２の容積を変化させることなく、ヘルムホルツ共鳴器が作用する周波数域を変化させることができる。その結果、ヘルムホルツ共鳴器を設けたヘアードライヤー５において、排気空間９２の設計自由度を高めることができる。
【００４２】
なお、第１側壁部７２を構成する２つの板状の部位は、中心軸Ｊ１を含む一つの平面に対し平行であることが望ましい。そのようにすれば、第１側壁部７２を有する内筒ケース部７を樹脂成型する場合に、内筒ケース部７を金型から離型させやすくなる。したがって、内筒ケース部７を容易に製造することができる。
【００４３】
また、本実施形態では、間隙部１２１の後端部の開口面積と、間隙部１２１の前端部の開口面積とが、等しい。一般的に、ヘルムホルツ共鳴器は、首管である間隙部１２１の内部の空気が微小な距離を一体的に往復運動することにより排気空間９２の空気圧の変動を吸収し、当該空気圧の変動を小さくしている。したがって、間隙部１２１の前後両端部の開口面積を等しくすれば、間隙部１２１における空気の往復運動がスムーズになる。これにより、ヘルムホルツ共鳴器の効果を、より高めることができる。
【００４４】
また、本実施形態の内筒ケース部７は、さらに、複数の仕切部７４を有する。仕切部７４は、消音空間９１の軸方向後端から前端まで延びる板状の部位である。仕切部７４の径方向外側の端縁は、排気ケース部３の内側面に接触する。開口部１２１は、隣り合う一対の仕切部７４の周方向の間に配置される。この構造では、仕切部７４の周方向の位置よって、消音空間９１の容積を容易に変更することができる。なお、仕切部７４は、排気ケース部３の内側面に形成されてもよい。その場合、仕切部７４の径方向内側の端縁が、内筒ケース部７の外周面に接触すればよい。また、仕切部７４は、内筒ケース部７および排気ケース部３の双方と別部材であってもよい。
【００４５】
＜３．変形例＞
以上、本発明の例示的な実施形態について説明したが、本発明は上記の実施形態には限定されない。
【００４６】
図６は、変形例に係るヘアードライヤー５Ａの縦断面図である。図６に示すヘアードライヤー５Ａの構造は、上記実施形態のヘアードライヤー５の構造と比較して、開口部の位置および形状と、側壁部の形状とが異なる。その他の構成は、上記実施形態のヘアードライヤー５と同様である。図６の開口部８Ａは、内筒ケース部７Ａの筒状部７１Ａを径方向に貫通する貫通孔である。また、内筒ケース部７Ａは、開口部８Ａの縁の少なくとも一部から排気ケース部３Ａの内側面に向けて延びる第２側壁部７３Ａを有する。図６の構造では、開口部８Ａを、消音したい騒音となる音波の腹に位置させることが容易である。このため、ヘルムホルツ共鳴器による騒音低減効果をより高めることができる。
【００４７】
図７は、他の変形例に係るヘアードライヤー５Ｂの縦断面図である。図７に示すヘアードライヤー５Ｂの構造は、上記実施形態のヘアードライヤー５の構造と比較して、静翼４４Ｂを有する点が異なる。図７の構造では、ファンモータＦＭＢのモータケースＭＣＢが、複数の静翼４４Ｂを有する。複数の静翼４４Ｂは、モータケースＭＣＢと排気ケース部３Ｂとの間において、周方向に配列される。インペラ４Ｂにより生じた気流は、複数の静翼４４Ｂの間を通って、前方へ流れる。
【００４８】
また、図７の構造では、複数の静翼４４Ｂの内端が、内筒ケース部７Ｂの後端部よりも径方向内側に位置する。このようにすれば、インペラ４Ｂにより生じた気流が、内筒ケース部７Ｂの開口端周縁に当たりにくくなる。このため、開口部８Ｂに対して空気が直接吹き込まれることが抑制される。したがって、インペラ４Ｂにより生じた気流が、内筒ケース部７Ｂの開口端周縁にぶつかることによって生じる渦を、小さくすることができる。これにより、消音空間９１Ｂによる騒音低減の効果がより得やすくなる。
【００４９】
図８は、他の変形例に係るヘアードライヤー５Ｃの縦断面図である。図８に示すヘアードライヤー５Ｃの構造は、上記実施形態のヘアードライヤー５の構造と比較して、ヘルムホルツ共鳴器を形成するための内筒ケース部７Ｃが、吸気ケース部１Ｃの内側にある点が異なる。図８のヘアードライヤー５Ｃでは、吸気ケース部１Ｃと流入ケース部２Ｃとの間に、拡張室１２０Ｃが形成される。拡張室１２０Ｃは、吸気口１０Ｃおよび流入口２０Ｃよりも径方向外側に位置する。そして、吸気ケース部１Ｃの内部には、内筒ケース部７Ｃが収容される。内筒ケース部７Ｃは、吸気ケース部１Ｃの内側面に沿って延びる筒状部７１Ｃを有する。そして、吸気ケース部１Ｃの内側面と、内筒ケース部７Ｃの外側面との間には、消音空間９１Ｃが形成される。また、内筒ケース部７Ｃには、吸気ケース部１Ｃの径方向内側に位置し、消音空間９１Ｃと拡張室１２０Ｃとを連通する開口部８Ｃが形成される。
【００５０】
このように、ヘルムホルツ共鳴器を、吸気ケース部１Ｃの内部に設けてもよい。特に、拡張室１２０Ｃでは、吸気口１０Ｃから吸い込まれた空気により、絶えず空気圧の変動が生じる。ヘアードライヤー５Ｃでは、開口部８Ｃおよび消音空間９１Ｃがヘルムホルツ共鳴器として作用することで、拡張室１２０Ｃでの空気圧の変動を吸収することができる。また、開口部８Ｃの断面積と消音空間９１Ｃの容積とを適宜設計することで、拡張室１２０Ｃにおける特定の周波数の騒音を低減することができる。なお、吸気ケース部の内部と排気ケース部の内部との双方に、ヘルムホルツ共鳴器を設けてもよい。
【００５１】
図９は他の変形例に係る、内筒ケース部７Ｄの正面図である。図９に示す内筒ケース部７Ｄの構造は、上記実施形態の内筒ケース部７の構造と比較して、複数の開口部８Ｄが設けられている点が異なる。複数の開口部８Ｄは、それぞれ、隣り合う一対の仕切部７４Ｄの周方向の間に位置する。これにより、消音空間を複数に区切ることができる。また、複数の消音空間の容積を、互いに相違させることで、複数の異なる周波数の騒音を同時に減衰できるヘルムホルツ共鳴器を設けることができる。
【００５２】
また、上記実施形態では、２つの第１側壁部７２と、排気ケース部３の内側面と、内筒ケース部７の外側面との間に、間隙部１２１が構成されていた。しかしながら、間隙部１２１を構成する１つの第１側壁部が、消音空間の後端から前端まで延びる仕切部であってもよい。換言すれば、第１側壁部と、仕切部と、排気ケース部の内側面と、内筒ケース部の外側面との間に、間隙部１２１が構成されていてもよい。
【００５３】
また、上記の実施形態では、インペラガード部は、吸気口に設けられていた。しかしながら、インペラガード部は、流入口に設けられてもよい。そうすることで、本体ケースの内部を掃除しやすくなる。
【００５４】
また、本発明の趣旨を逸脱しない範囲で、ヘアードライヤーの構成を変更してもよい。例えば、インペラおよびモータを有するファンモータを、図１よりも軸方向前方に配置してもよい。
【００５５】
また、ヘアードライヤーを構成する各部材の細部の形状は、本願の各図に示された形状と、相違していてもよい。また、上記の実施形態や変形例に登場した各要素を、矛盾が生じない範囲で、適宜に組み合わせてもよい。
【産業上の利用可能性】
【００５６】
本発明は、ヘアードライヤーに利用できる。
【符号の説明】
【００５７】
１，１Ｃ  吸気ケース部
２，２Ｃ  流入ケース部
３，３Ａ  排気ケース部
４  インペラ
５，５Ａ，５Ｂ，５Ｃ  ヘアードライヤー
６  把持部
７，７Ａ，７Ｂ，７Ｃ，７Ｄ  内筒ケース部
８，８Ａ，８Ｂ，８Ｃ，８Ｄ  開口部
９  内部空間
１０，１０Ｃ  吸気口
２０  流入口
３０  排気口
３１  ノズル部
４１  ベース部
４２  羽根
４３  シャフト
４４Ｂ  静翼
７１  筒状部
７２  第１側壁部
７３Ａ  第２側壁部
７４  仕切部
７５  フランジ部
９１，９１Ｂ，９１Ｃ  消音空間
９２  排気空間
１０１  第１開口
１０２  第２開口
１０５  開口部
１０６  容積部
１０８  開口部
１１０  吸気ケース部筒部
１２０Ｃ  拡張室
１２１  間隙部
１５０  インペラガード部
３１０  ケース筒部
３１１  段差部
Ｃ，ＣＢ  本体ケース
ＦＭ  ファンモータ
Ｊ１  中心軸
Ｍ，ＭＢ  モータ
ＭＣ，ＭＣＢ  モータケース
ＨＵ  ヒータユニット
【図１】
2016135229.tif 000004
【図２】
2016135229.tif 000005
【図３】
2016135229.tif 000006
【図４】
2016135229.tif 000007
【図５】
2016135229.tif 000008
【図６】
2016135229.tif 000009
【図７】
2016135229.tif 000010
【図８】
2016135229.tif 000011
【図９】
2016135229.tif 000012